(57)【要約】【課題】ユーザが機器の電源を切り忘れた場合でも、機器の電源がオン状態のまま放置されてしまうのを抑制して省電力化を図ることが可能な情報端末を提供する。【解決手段】このタブレット１００（情報端末）は、音声を検知可能なマイク１と、照明装置２００、ＴＶ３００およびエアコン４００を操作可能な信号を照明装置２００、ＴＶ３００およびエアコン４００に対して送信するＢｌｕｅｔｏｏｔｈ（登録商標）４と、制御部７とを備え、制御部７は、少なくともマイク１による検知結果に基づいて人がいないと判断した場合には、照明装置２００、ＴＶ３００およびエアコン４００の電源を待機状態にする信号を照明装置２００、ＴＶ３００およびエアコン４００機器に対してＢｌｕｅｔｏｏｔｈ（登録商標）４に送信させる制御を行うように構成されている。【選択図】図１
2014020790.tif 000002
【特許請求の範囲】
【請求項１】
音声を検知可能な音声検知部と、
機器を操作可能な信号を前記機器に対して送信する信号送信部と、
制御部とを備え、
前記制御部は、少なくとも前記音声検知部による検知結果に基づいて人がいないと判断した場合には、前記機器の電源を待機状態またはオフにする信号を前記機器に対して前記信号送信部に送信させる制御を行うように構成されている、情報端末。
【請求項２】
前記制御部は、音声の変化が所定の基準よりも小さい状態が所定時間継続した場合に人がいないと判断し、前記機器の電源を待機状態またはオフにする信号を前記機器に対して前記信号送信部に送信させる制御を行うように構成されている、請求項１に記載の情報端末。
【請求項３】
前記情報端末の周辺を撮像可能な撮像部をさらに備え、
前記制御部は、前記音声検知部による検知結果に加えて、前記撮像部による撮像結果にも基づいて人がいないと判断した場合に、前記機器の電源を待機状態またはオフにする信号を前記機器に対して前記信号送信部に送信させる制御を行うように構成されている、請求項１または２に記載の情報端末。
【請求項４】
前記音声検知部による検知結果および前記撮像部による撮像結果を記憶可能な記憶部をさらに備え、
前記制御部は、前記記憶部に記憶された前記音声検知部による検知結果および前記撮像部による撮像結果に基づいて、音声の変化が所定の基準よりも小さい状態が第１の所定時間継続し、かつ、撮像された画像が略変化しない状態が第２の所定時間継続した場合に人がいないと判断し、前記機器の電源を待機状態またはオフにする信号を前記機器に対して前記信号送信部に送信させる制御を行うように構成されている、請求項３に記載の情報端末。
【請求項５】
前記機器は、複数個設けられ、
前記信号送信部は、前記複数個の機器に対して操作信号を送信可能に構成され、
前記制御部は、人がいないと判断した場合には、前記複数個の機器それぞれの電源を待機状態またはオフにする信号を前記複数個の機器に対して前記信号送信部に送信させる制御を行うように構成されている、請求項１〜４のいずれか１項に記載の情報端末。
【請求項６】
前記制御部は、人がいないと判断した場合には、前記機器の電源を待機状態またはオフにする信号を前記機器に対して前記信号送信部に送信させる制御を行い、かつ、省エネモードに移行する制御を行うように構成されている、請求項１〜５のいずれか１項に記載の情報端末。
【請求項７】
明るさを検知可能な照度センサをさらに備え、
前記制御部は、人がいないと判断した場合には、前記機器の電源を待機状態またはオフにする信号を前記機器に対して前記信号送信部に送信させる制御を行い、かつ、前記省エネモードに移行した場合でも前記制御部および前記照度センサには電力の供給を継続しながら、前記照度センサにより所定の明るさ以上の明るさが検知された場合には、前記照度センサおよび前記制御部以外の電子部品に電力の供給を再開する制御を行うように構成されている、請求項６に記載の情報端末。
【請求項８】
前面に前記撮像部が配置された筺体と、
前記筺体の姿勢を認識可能な加速度センサとをさらに備え、
前記制御部は、前記加速度センサによる前記筺体の姿勢の検知結果に基づいて前記筺体の前面が前記筺体の設置面に対向するように前記筺体が設置されていると判断した場合には、前記撮像部による撮像結果は考慮せずに前記音声検知部による検知結果だけに基づいて人がいないと判断した場合に、前記機器の電源を待機状態またはオフにする信号を前記機器に対して前記信号送信部に送信させる制御を行うように構成されている、請求項３または４に記載の情報端末。
【発明の詳細な説明】
【技術分野】
【０００１】
この発明は、情報端末に関し、特に、機器を操作可能な情報端末に関する。
【背景技術】
【０００２】
従来、機器を操作可能な音声認識型照明用スイッチが知られている（たとえば、特許文献１参照）。
【０００３】
上記特許文献１には、音声を検知可能なマイク部（音声検知部）と、マイク部による検知結果と予め記憶された音声パターンとを比較して音声を認識する音声認識部と、制御部とを備えた音声認識型照明用スイッチが開示されている。この音声認識型照明用スイッチの制御部は、ユーザが音声により「オン」または「オフ」を指示した場合に、音声認識部により認識された認識結果に基づいて、照明装置（機器）の電源をユーザの指示に応じて制御するように構成されている。
【先行技術文献】
【特許文献】
【０００４】
【特許文献１】特開２００２−２８９３７１号公報
【発明の概要】
【発明が解決しようとする課題】
【０００５】
しかしながら、上記特許文献１の音声認識型照明用スイッチでは、ユーザが音声により指示する必要があるので、ユーザが指示し忘れた場合には、照明装置が点灯したまま放置されてしまうという不都合がある。このため、上記特許文献１の音声認識型照明用スイッチの制御技術を、情報端末に適用した場合でも、ユーザが指示し忘れると照明装置（機器）の電源がオン状態のまま放置されてしまうため、省電力化を図るのが困難であるという問題点がある。
【０００６】
この発明は、上記のような課題を解決するためになされたものであり、この発明の１つの目的は、ユーザが機器の電源を切り忘れた場合でも、機器の電源がオン状態のまま放置されてしまうのを抑制して省電力化を図ることが可能な情報端末を提供することである。
【課題を解決するための手段】
【０００７】
この発明の一の局面による情報端末は、音声を検知可能な音声検知部と、機器を操作可能な信号を機器に対して送信する信号送信部と、制御部とを備え、制御部は、少なくとも音声検知部による検知結果に基づいて人がいないと判断した場合には、機器の電源を待機状態またはオフにする信号を機器に対して信号送信部に送信させる制御を行うように構成されている。
【０００８】
この発明の一の局面による情報端末では、上記のように、少なくとも音声検知部による検知結果に基づいて人がいないと判断した場合には、機器の電源を待機状態またはオフにする信号を機器に対して信号送信部に送信させる制御を行う制御部を設けることによって、ユーザが指示を行わなくても、音声検知部による検知結果に基づいて人がいないことを判断して自動的に機器の電源を待機状態またはオフにすることができるので、ユーザが機器の電源を切り忘れた場合でも、機器の電源がオン状態のまま放置されてしまうのを抑制することができる。その結果、ユーザが機器の電源を切り忘れた場合でも、省電力化を図ることができる。また、情報端末に搭載されていることが多いマイクなどの音声検知部を用いて人がいないことを判断することができるので、人を検知するために専用の人感センサを別途設ける必要がない。
【０００９】
上記一の局面による情報端末において、好ましくは、制御部は、音声の変化が所定の基準よりも小さい状態が所定時間継続した場合に人がいないと判断し、機器の電源を待機状態またはオフにする信号を機器に対して信号送信部に送信させる制御を行うように構成されている。このように構成すれば、音声の変化が所定の基準よりも小さい場合に音声の変化が少ないかまたはないと判断することができるので、この状態が所定時間継続した場合に、人がいないと判断して容易に機器の電源を待機状態またはオフにすることができる。
【００１０】
上記一の局面による情報端末において、好ましくは、情報端末の周辺を撮像可能な撮像部をさらに備え、制御部は、音声検知部による検知結果に加えて、撮像部による撮像結果にも基づいて人がいないと判断した場合に、機器の電源を待機状態またはオフにする信号を機器に対して信号送信部に送信させる制御を行うように構成されている。このように構成すれば、音声検知部による検知結果だけでなく、撮像部による撮像結果にも基づいて人がいないと判断することができるので、より精度よく人がいないことを判断することができる。
【００１１】
この場合、好ましくは、音声検知部による検知結果および撮像部による撮像結果を記憶可能な記憶部をさらに備え、制御部は、記憶部に記憶された音声検知部による検知結果および撮像部による撮像結果に基づいて、音声の変化が所定の基準よりも小さい状態が第１の所定時間継続し、かつ、撮像された画像が略変化しない状態が第２の所定時間継続した場合に人がいないと判断し、機器の電源を待機状態またはオフにする信号を機器に対して信号送信部に送信させる制御を行うように構成されている。このように構成すれば、音声の変化が所定の基準よりも小さい状態が第１の所定時間継続し、かつ、撮像された画像が略変化しない状態が第２の所定時間継続した場合に、人がいないことを精度よく判断して機器の電源を待機状態またはオフにすることができる。
【００１２】
上記一の局面による情報端末において、好ましくは、機器は、複数個設けられ、信号送信部は、複数個の機器に対して操作信号を送信可能に構成され、制御部は、人がいないと判断した場合には、複数個の機器それぞれの電源を待機状態またはオフにする信号を複数個の機器に対して信号送信部に送信させる制御を行うように構成されている。このように構成すれば、ユーザが指示を行わなくても、制御部により、自動的に複数個の機器それぞれを待機状態またはオフにすることができるので、複数個の機器の電源がオン状態のまま放置されるのを抑制することができる。
【００１３】
上記一の局面による情報端末において、好ましくは、制御部は、人がいないと判断した場合には、機器の電源を待機状態またはオフにする信号を機器に対して信号送信部に送信させる制御を行い、かつ、省エネモードに移行する制御を行うように構成されている。このように構成すれば、人がいない場合に、機器の電源がオン状態のまま放置されるのを抑制して機器の省電力化を図り、かつ、情報端末の省電力化を図ることができる。
【００１４】
上記省エネモードに移行する制御を行う制御部を備える構成において、好ましくは、明るさを検知可能な照度センサをさらに備え、制御部は、人がいないと判断した場合には、機器の電源を待機状態またはオフにする信号を機器に対して信号送信部に送信させる制御を行い、かつ、省エネモードに移行した場合でも制御部および照度センサには電力の供給を継続しながら、照度センサにより所定の明るさ以上の明るさが検知された場合には、照度センサおよび制御部以外の電子部品に電力の供給を再開する制御を行うように構成されている。このように構成すれば、機器の電源がオンにされることにより所定の明るさ以上になった場合に、情報端末を省エネモードから自動的に復帰させることができるので、ユーザの操作負担を軽減することができる。
【００１５】
上記撮像部を備える構成において、好ましくは、前面に撮像部が配置された筺体と、筺体の姿勢を認識可能な加速度センサとをさらに備え、制御部は、加速度センサによる筺体の姿勢の検知結果に基づいて筺体の前面が筺体の設置面に対向するように筺体が設置されていると判断した場合には、撮像部による撮像結果は考慮せずに音声検知部による検知結果だけに基づいて人がいないと判断した場合に、機器の電源を待機状態またはオフにする信号を機器に対して信号送信部に送信させる制御を行うように構成されている。このように構成すれば、撮像部が設置面に対向するように筺体の前面が伏せて置かれている場合には、撮像部により情報端末周辺を適切に撮像することができないので、その場合には、音声検知部による検知結果だけを用いて人がいないことを判断する精度が低下するのを抑制することができる。
【発明の効果】
【００１６】
本発明によれば、上記のように、ユーザが機器の電源を切り忘れた場合でも、機器の電源がオン状態のまま放置されてしまうのを抑制して省電力化を図ることができる。
【図面の簡単な説明】
【００１７】
【図１】本発明の一実施形態によるタブレットを示したブロック図である。
【図２】本発明の一実施形態によるタブレットを示した斜視図である。
【図３】本発明の一実施形態によるタブレットのマイクにより検知される音声の振幅を示した図である。
【図４】本発明の一実施形態によるタブレットの機器制御の処理を説明するためのフローチャートである。
【図５】本発明の一実施形態によるタブレットの復帰処理を説明するためのフローチャートである。
【発明を実施するための形態】
【００１８】
以下、本発明の実施形態を図面に基づいて説明する。
【００１９】
図１〜図３を参照して、本発明の一実施形態によるタブレット１００の構成について説明する。
【００２０】
本発明の一実施形態によるタブレット１００は、図１に示すように、マイク１と、カメラ２と、記憶部３と、Ｂｌｕｅｔｏｏｔｈ（登録商標）４と、加速度センサ５と、照度センサ６と、制御部７とを備えている。また、図２に示すように、タブレット１００の筺体１１の前面１１ａ側（Ｘ１方向側）には表示部１２が配置されている。また、マイク１、カメラ２および照度センサ６は、筺体１１の前面１１ａに配置されている。また、Ｂｌｕｅｔｏｏｔｈ（登録商標）４は、筺体１１の前面１１ａの上側（Ｚ１方向側）端部近傍に配置されている。なお、タブレット１００は、本発明の「情報端末」の一例である。
【００２１】
また、タブレット１００は、照明装置２００の電源をオフ状態に制御可能に構成されている。また、タブレット１００は、ＴＶ（テレビジョン装置）３００およびエアコン（エアコンディショナ）４００のそれぞれの電源を待機状態またはオフ状態に制御可能に構成されている。また、タブレット１００は、省エネモードに移行可能に構成されている。なお、照明装置２００、ＴＶ３００およびエアコン４００は、本発明の「機器」の一例である。
【００２２】
マイク１は、タブレット１００周辺の音声を検知可能に構成されている。すなわち、マイク１は、タブレット１００周辺で人が発した音声や物音などを検知することが可能である。なお、マイク１は、本発明の「音声検知部」の一例である。
【００２３】
カメラ２は、タブレット１００周辺を撮像可能に構成されている。すなわち、カメラ２は、タブレット１００周辺における人の動きを検知することが可能である。なお、カメラ２は、本発明の「撮像部」の一例である。
【００２４】
記憶部３は、書き換え可能な不揮発性メモリである。また、記憶部３は、マイク１により検知された音声データおよびカメラ２により撮像された画像データを記憶可能なように構成されている。なお、音声データは、本発明の「検知結果」の一例である。また、画像データは、本発明の「撮像結果」および「撮像された画像」の一例である。
【００２５】
Ｂｌｕｅｔｏｏｔｈ（登録商標）４は、照明装置２００、ＴＶ３００およびエアコン４００を操作可能な信号を照明装置２００、ＴＶ３００およびエアコン４００のそれぞれに対して送信するように構成されている。具体的には、Ｂｌｕｅｔｏｏｔｈ（登録商標）４は、照明装置２００の電源をオフ状態にする信号を送信可能に構成されている。また、Ｂｌｕｅｔｏｏｔｈ（登録商標）４は、ＴＶ３００およびエアコン４００の電源を待機状態にする信号またはオフ状態にする信号を送信可能に構成されている。また、Ｂｌｕｅｔｏｏｔｈ（登録商標）４は、本発明の「信号送信部」の一例である。
【００２６】
加速度センサ５は、筺体１１の姿勢を認識可能に構成されている。たとえば、加速度センサ５は、筺体１１の前面１１ａが設置面に対向するように設置されている筺体１１の姿勢を認識可能に構成されている。また、照度センサ６は、タブレット１００周辺の明るさを検知可能に構成されている。すなわち、照度センサ６は、タブレット１００周辺の照明装置２００が点灯したことを検知可能である。
【００２７】
ここで、本実施形態では、制御部７は、タブレット１００全体の動作を制御するように構成されている。また、制御部７は、マイク１による音声データおよびカメラ２による画像データに基づいて人がいないと判断するように構成されている。制御部７は、人がいないと判断した場合に、照明装置２００の電源をオフ状態にする信号を照明装置２００に対してＢｌｕｅｔｏｏｔｈ（登録商標）４に送信させる制御を行うように構成されている。また、制御部７は、人がいないと判断した場合に、ＴＶ３００およびエアコン４００の電源を待機状態にする信号をＴＶ３００およびエアコン４００に対してＢｌｕｅｔｏｏｔｈ（登録商標）４に送信させる制御を行うように構成されている。
【００２８】
制御部７は、音声データにおける音声の振幅が所定の基準値よりも小さい（図３参照）状態が所定時間（たとえば、６０分間）継続したか否かを判断するように構成されている。また、制御部７は、音声の振幅が所定の基準値よりも小さい状態が所定時間継続したか否かの判断を所定のタイミング（たとえば、１０分間隔）で行うように構成されている。
【００２９】
また、制御部７は、画像データが略変化しない状態が所定時間（たとえば、６０分間）継続したか否かを判断するように構成されている。また、制御部７は、画像データが略変化しない状態が所定時間継続したか否かの判断を所定のタイミング（たとえば、１０分間隔）で行うように構成されている。
【００３０】
制御部７は、記憶された音声データにおける音声の振幅が所定の基準値よりも小さい状態が所定時間継続し、かつ、記憶された画像データが所定時間略変化しない場合に人がいないと判断する。また、制御部７は、音声の振幅が所定の基準値よりも小さい状態が所定時間継続しない場合には、画像データの変化の有無に関わらず人がいると判断するように構成されている。また、制御部７は、画像データが略変化しない状態が所定時間継続しない場合には、音声の振幅が所定の基準値よりも小さい状態が所定時間継続するか否かに関わらず人がいると判断するように構成されている。そして、制御部７は、人がいないと判断した場合には、照明装置２００の電源をオフ状態にする信号を照明装置２００に対してＢｌｕｅｔｏｏｔｈ（登録商標）４に送信させる制御を行うように構成されている。また、制御部７は、ＴＶ３００およびエアコン４００の電源を待機状態にする信号をＴＶ３００およびエアコン４００に対してＢｌｕｅｔｏｏｔｈ（登録商標）４に送信させる制御を行うように構成されている。
【００３１】
また、制御部７が、音声データにおける音声の振幅が所定の基準値よりも小さい状態、および、画像データが略変化しない状態のそれぞれが所定時間（たとえば、６０分間隔）継続したか否かの判断のタイミングを、上記所定時間よりも短い時間間隔（たとえば、１０分間隔）で行うことにより、上記所定時間間隔で判断する場合とは異なり、人の有無の判断をより頻繁に行うことができるので、人がいなくなった場合により迅速に対応することができる。また、制御部７の制御負担を軽減することを考慮すると、その判断をリアルタイムで継続して行うのではなく、１０分間隔など所定の時間間隔で行うことが好ましい。また、上記所定時間を短くし過ぎると、ユーザがトイレに行くなどタブレット１００の周辺から短時間離れただけでも人がいないと判断されてしまうため、所定時間は６０分程度にすることが好ましい。
【００３２】
また、制御部７は、照明装置２００の電源をオフ状態にする信号を照明装置２００に送信させるとともに、ＴＶ３００およびエアコン４００の電源を待機状態にする信号を、それぞれ、ＴＶ３００およびエアコン４００に送信させた後、タブレット１００を省エネモードに移行する制御を行うように構成されている。また、制御部７は、省エネモードに移行した場合でも、制御部７および照度センサ６に電力の供給を継続する制御を行うように構成されている。すなわち、制御部７は、省エネモードに移行した場合には、マイク１、カメラ２、記憶部３、Ｂｌｕｅｔｏｏｔｈ（登録商標）４および加速度センサ５への電力供給を停止する制御を行うように構成されている。
【００３３】
また、制御部７は、省エネモードにおいて、照度センサ６により所定の明るさ以上の明るさが検知された場合には、照度センサ６および制御部７への電力供給を継続させたまま、これら以外の電子部品に電力の供給を再開する制御を行うように構成されている。
【００３４】
また、制御部７は、加速度センサ５による筺体１１の姿勢の検知結果に基づいて筺体１１の前面１１ａが筺体１１の設置面に対向するように筺体１１が設置されていると判断した場合には、カメラ２による画像データは考慮せずにマイク１による音声データだけに基づいて人がいないと判断するように構成されている。
【００３５】
次に、図４を参照して、本実施形態によるタブレット１００の制御部７により実行される機器制御の処理フローについて説明する。なお、機器制御の処理は、タブレット１００の電源がオン状態の場合に実行される。
【００３６】
まず、ステップＳ１において、所定時間（たとえば、６０分）分の音声データおよび画像データが取得されたか否かが判断される。所定時間分の音声データおよび画像データが取得されるまでこの判断が繰り返され、所定時間分の音声データおよび画像データが取得されると、ステップＳ２に進む。
【００３７】
次に、ステップＳ２において、音声データにおける音声の振幅が所定の基準値よりも小さい（図３参照）状態が所定時間継続し、かつ、画像データが略変化しない状態が所定時間継続したか否かが判断される。音声データにおける音声の振幅が所定の基準値よりも小さい状態が所定時間継続しない場合、または、画像データが略変化しない状態が所定時間継続しない場合には、人がいると判断して機器制御の処理を終了する。すなわち、所定時間内において、音声の振幅が所定の基準値以上となる状態が一時的にでも生じると、人がいると判断されるとともに、所定時間内において、画像データが一度でも変化すると、人がいると判断される。一方、音声データにおける音声の振幅が所定の基準値よりも小さい状態が所定時間継続し、かつ、画像データが略変化しない状態が所定時間継続したと判断された場合には、人がいないと判断してステップＳ３に進む。
【００３８】
ステップＳ３において、照明装置２００、ＴＶ３００およびエアコン４００に電源を待機状態またはオフ状態にする信号が送信される。具体的には、制御部７は、電源をオフ状態にする信号を照明装置２００に対してＢｌｕｅｔｏｏｔｈ（登録商標）４に送信させる制御を行う。また、制御部７は、電源を待機状態にする信号をＴＶ３００およびエアコン４００のそれぞれに対してＢｌｕｅｔｏｏｔｈ（登録商標）４に送信させる制御を行う。
【００３９】
次に、ステップＳ４において、照度センサ６および制御部７に電源の供給を継続しながら、省エネモードに移行される。その後、機器制御の処理を終了する。
【００４０】
なお、ステップＳ２において、音声データにおける音声の振幅が所定の基準値よりも小さい状態が所定時間継続し、かつ、画像データが略変化しない状態が所定時間継続したと判断された場合には、機器制御の処理を終了した後、後述の復帰処理（図５参照）に移行される。また、ステップＳ２において、人がいると判断された場合、機器制御の処理を終了した後、所定のタイミング（たとえば、１０分間隔）で機器制御の処理が繰り返し実行される。
【００４１】
次に、図５を参照して、本実施形態によるタブレット１００の制御部７により実行される復帰処理フローについて説明する。この処理は、人がいないと判断されて省エネモードに移行した場合に、継続的に実行される。
【００４２】
ステップＳ１１において、照度センサ６により所定の明るさ以上の明るさが検知されたか否かが判断される。所定の明るさ以上の明るさが検知されるまでこの判断が繰り返され、所定の明るさ以上の明るさが検知されるとステップＳ１２に進む。
【００４３】
ステップＳ１２において、各部（マイク１、カメラ２、記憶部３、Ｂｌｕｅｔｏｏｔｈ（登録商標）４および加速度センサ５）に電力の供給が再開される。その後、復帰処理を終了する。
【００４４】
本実施形態では、上記のように、少なくともマイク１による検知結果に基づいて人がいないと判断した場合には、照明装置２００の電源をオフ状態にする信号と、ＴＶ３００およびエアコン４００の電源を待機状態にする信号とをＢｌｕｅｔｏｏｔｈ（登録商標）４に送信させる制御を行う制御部７を設ける。これにより、ユーザが指示を行わなくても、マイク１による検知結果に基づいて人がいないことを判断して自動的に照明装置２００の電源をオフ状態にするとともに、ＴＶ３００およびエアコン４００の電源を待機状態にすることができるので、ユーザが照明装置２００、ＴＶ３００およびエアコン４００の電源を切り忘れた場合でも、照明装置２００、ＴＶ３００およびエアコン４００の電源がオン状態のまま放置されてしまうのを抑制することができる。その結果、ユーザが照明装置２００、ＴＶ３００およびエアコン４００の電源を切り忘れた場合でも、省電力化を図ることができる。また、タブレット１００に搭載されていることが多いマイク１を用いて人がいないことを判断することができるので、人を検知するために専用の人感センサを別途設ける必要がない。
【００４５】
本実施形態では、上記のように、音声の振幅が所定の基準値よりも小さい状態が所定時間継続した場合に人がいないと判断し、照明装置２００の電源をオフ状態にする信号と、ＴＶ３００およびエアコン４００の電源を待機状態にする信号とをＢｌｕｅｔｏｏｔｈ（登録商標）４に送信させる制御を行うように制御部７を構成する。これにより、音声の振幅が所定の基準値よりも小さい場合に音声の変化が少ないと判断することができるので、この状態が所定時間継続した場合に、人がいないと判断して容易に照明装置２００の電源をオフ状態にするとともに、ＴＶ３００およびエアコン４００の電源を待機状態にすることができる。
【００４６】
本実施形態では、上記のように、マイク１による検知結果に加えて、カメラ２による撮像結果にも基づいて人がいないと判断した場合に、照明装置２００の電源をオフ状態にするとともに、ＴＶ３００およびエアコン４００の電源を待機状態にする信号をＢｌｕｅｔｏｏｔｈ（登録商標）４に送信させる制御を行うように制御部７を構成する。これにより、マイク１による検知結果だけでなく、カメラ２による撮像結果にも基づいて人がいないと判断することができるので、より精度よく人がいないことを判断することができる。
【００４７】
本実施形態では、上記のように、記憶部３に記憶されたマイク１による検知結果およびカメラ２による撮像結果に基づいて、音声の振幅が所定の基準値よりも小さい状態が所定時間継続し、かつ、撮像された画像が略変化しない状態が所定時間継続した場合に人がいないと判断し、照明装置２００の電源をオフ状態にする信号と、ＴＶ３００およびエアコン４００の電源を待機状態にする信号とをＢｌｕｅｔｏｏｔｈ（登録商標）４に送信させる制御を行うように制御部７を構成する。これにより、音声の振幅が所定の基準値よりも小さい状態が所定時間継続し、かつ、撮像された画像が略変化しない状態が所定時間継続した場合に、人がいないことを精度よく判断して照明装置２００の電源をオフ状態にするとともに、ＴＶ３００およびエアコン４００の電源を待機状態にすることができる。
【００４８】
本実施形態では、上記のように、人がいないと判断した場合には、照明装置２００の電源をオフ状態にするとともに、ＴＶ３００およびエアコン４００の電源を待機状態にする信号をＢｌｕｅｔｏｏｔｈ（登録商標）４に送信させる制御を行い、かつ、省エネモードに移行する制御を行うように制御部７を構成する。これにより、人がいない場合に照明装置２００、ＴＶ３００およびエアコン４００の電源がオン状態のまま放置されるのを抑制して機器の省電力化を図り、かつ、タブレット１００の省電力化を図ることができる。
【００４９】
本実施形態では、上記のように、人がいないと判断した場合には、省エネモードに移行した場合でも制御部７および照度センサ６には電力の供給を継続しながら、照度センサ６により所定の明るさ以上の明るさが検知された場合には、照度センサ６および制御部７以外の電子部品に電力の供給を再開する制御を行うように制御部７を構成する。これにより、照明装置２００の電源がオンにされることにより所定の明るさ以上になった場合に、タブレット１００を省エネモードから自動的に復帰させることができるので、ユーザの操作負担を軽減することができる。
【００５０】
本実施形態では、上記のように、加速度センサ５による筺体１１の姿勢の検知結果に基づいて筺体１１の前面１１ａが筺体１１の設置面に対向するように筺体１１が設置されていると判断した場合には、カメラ２による撮像結果は考慮せずにマイク１による検知結果だけに基づいて人がいないと判断した場合に、照明装置２００の電源をオフ状態する信号と、ＴＶ３００およびエアコン４００の電源を待機状態にする信号とをＢｌｕｅｔｏｏｔｈ（登録商標）４に送信させる制御を行うように制御部７を構成する。これにより、カメラ２が設置面に対向するように筺体１１が伏せて置かれている場合には、カメラ２によりタブレット１００周辺を適切に撮像することができないので、その場合には、マイク１による検知結果だけを用いて人がいないと判断する精度が低下するのを抑制することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明の情報端末の一例としてのタブレットに本発明を適用する例を示したが、本発明はこれに限られない。本発明では、たとえば、フォトフレームなど、タブレット以外の情報端末に本発明を適用してもよい。
【００５３】
また、上記実施形態では、音声データ（検知結果）における音声の振幅が所定の基準値よりも小さい状態が所定時間継続するとともに、撮像された画像データ（撮像結果）が略変化しない状態が音声データの検知結果と同じ所定時間継続した場合に人がいないと判断する例を示したが、本発明はこれに限られない。本発明では、音声データ（検知結果）における音声の振幅が所定の基準値よりも小さい状態が第１の所定時間継続し、かつ、撮像された画像データ（撮像結果）が略変化しない状態が第１の所定時間とは異なる第２の所定時間継続した場合に、人がいないと判断してもよい。
【００５４】
また、上記実施形態では、省エネモードにおいて、制御部および照度センサに電力の供給を継続し、照度センサにより所定の明るさ以上の明るさが検知された場合に、照度センサおよび制御部以外の電子部品に電力の供給を再開する例を示したが、本発明はこれに限られない。本発明では、省エネモードにおいて、音声検知部および撮像部の少なくとも一方に電力の供給を継続し、ユーザが戻ってきた際に、音声検知部の検知結果および撮像部の撮像結果に基づいて人がいると判断し、機器の電源を省エネモードから復帰させるようにしてもよい。
【００５５】
また、上記実施形態では、マイク（音声検知部）による検知結果に加えて、カメラ（撮像部）による撮像結果に基づいて、人がいないと判断した例を示したが、本発明はこれに限られない。本発明では、音声検知部による検知結果のみに基づいて、人がいないと判断してもよい。
【００５６】
また、上記実施形態では、３つの照明装置２００、ＴＶ３００およびエアコン４００（複数個の機器）の電源状態を制御する例を示したが、本発明はこれに限られない。本発明では、１つ、２つ、または、４つ以上の機器の電源状態を制御してもよい。
【００５７】
また、上記実施形態では、本発明の信号送信部としてＢｌｕｅｔｏｏｔｈ（登録商標）を設けた例を示したが、本発明はこれに限られない。本発明では、たとえば、赤外線センサなど、Ｂｌｕｅｔｏｏｔｈ（登録商標）以外の信号通信部であってもよい。
【００５８】
また、上記実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５９】
１  マイク（音声検知部）
２  カメラ（撮像部）
３  記憶部
４  Ｂｌｕｅｔｏｏｔｈ（信号送信部）
５  加速度センサ
６  照度センサ
７  制御部
１１  筺体
１１ａ  前面
１００  タブレット（情報端末）
２００  照明装置（機器）
３００  ＴＶ（機器）
４００  エアコン（機器）
【図１】
2014020790.tif 000003
【図２】
2014020790.tif 000004
【図３】
2014020790.tif 000005
【図４】
2014020790.tif 000006
【図５】
2014020790.tif 000007